(57)【要約】【課題】  ドキュメントの領域毎の要件を管理し、各領域に対する要件に従って読み取ったドキュメントデータに対する動作を制御することができる画像形成装置を提供することである。【解決手段】  上記の課題を解決するため、本発明は、ドキュメントの識別情報を読み取る識別情報読取手段と、上記識別情報によって指定される動作要件を選択する動作要件選択手段と、上記動作要件選択手段によって選択された１つ以上の動作要件に従って所定動作の実行を制御する動作制御手段とを有する画像形成装置において、上記ドキュメントの領域情報毎の上記動作要件を格納する領域情報管理テーブルを有し、上記動作要件選択手段は、上記ドキュメントの各領域と対応する動作要件を上記領域情報管理テーブルに格納し、上記動作制御手段は、上記領域情報管理テーブルから上記動作要件を読み出し、該動作要件に従って所定動作の実行を制御する構成とされる。【選択図】  図２
2005148393.tif 000002
【特許請求の範囲】
【請求項１】
ドキュメントの識別情報を読み取る識別情報読取手段と、
上記識別情報によって指定される動作要件を選択する動作要件選択手段と、
上記動作要件選択手段によって選択された１つ以上の動作要件に従って所定動作の実行を制御する動作制御手段とを有する画像形成装置において、
上記ドキュメントの領域情報毎の上記動作要件を格納する領域情報管理テーブルを有し、
上記動作要件選択手段は、上記ドキュメントの各領域と対応する動作要件を上記領域情報管理テーブルに格納し、
上記動作制御手段は、上記領域情報管理テーブルから上記動作要件を読み出し、該動作要件に従って所定動作の実行を制御することを特徴とする画像形成装置。
【請求項２】
上記動作要件は、上記ドキュメントに対するセキュリティに関する要件であることを特徴とする請求項１記載の画像形成装置。
【請求項３】
上記所定動作は、電子データで画像を形成することを特徴とする請求項１記載の画像形成装置。
【請求項４】
上記所定動作は、上記ドキュメントを用紙上に印刷することを特徴とする請求項１記載の画像形成装置。
【請求項５】
上記識別情報読取手段は、上記識別情報と上記ドキュメントの領域毎のドキュメント属性とを対応付けして管理するドキュメント属性管理テーブルを有し、
上記ドキュメントの各領域に対応する識別情報を取得し、
上記ドキュメント属性管理テーブルから上記識別情報に対応するドキュメント属性を取得することを特徴とする請求項１乃至４いずれか一項記載の画像形成装置。
【請求項６】
上記識別情報読取手段は、上記ドキュメント属性管理テーブルから各ドキュメントの識別情報に対応するドキュメント属性を取得することを特徴とする請求項５記載の画像形成装置。
【請求項７】
上記識別情報読取手段は、上記ドキュメントの領域が設定された領域設定テーブルを有し、
上記領域設定テーブルからドキュメントの領域に対応する識別情報を取得することを特徴とする請求項１乃至４いずれか一項記載の画像形成装置。
【請求項８】
上記識別情報読取手段は、上記ドキュメントの背景のドットパターンを識別し、
識別した上記ドットパターンと同じドットパターンを有する領域と対応する識別情報を取得することを特徴とする請求項１乃至４いずれか一項記載の画像形成装置。
【請求項９】
上記動作制御手段は、上記ドキュメントにユーザーから要求された動作が許可されていない領域がある場合、或いは選択された要件を満たすことができない領域がある場合、上記領域に該領域の情報と無関係な画像を形成して所定動作を制御することを特徴とする請求項１乃至４いずれか一項記載の画像形成装置。
【請求項１０】
上記画像は上記領域に要求された動作が許可されていないこと、或いは選択された要件を満たすことができないことを示す画像であることを特徴とする請求項９記載の画像形成装置。
【請求項１１】
上記動作制御手順は、上記ドキュメントにユーザーから要求された動作が許可されていない領域がある場合、或いは選択された要件を満たすことができない領域がある場合、上記所定動作を停止することを特徴とする請求項９又は１０記載の画像形成装置。
【請求項１２】
上記ドキュメントにユーザーから要求された動作が許可されていない領域がある旨、或いは選択された要件を満たすことができない領域がある旨、上記領域に該領域の情報と無関係な画像を形成して所定動作を制御する旨、上記所定動作を停止する旨をそれぞれ上記ユーザーに通知する通知手段を有することを特徴とする請求項９記載の画像形成装置。
【請求項１３】
上記通知手段により通知された情報を上記ユーザが確認したことを示す確認情報を取得する確認情報取得手段を有することを特徴とする請求項１２記載の画像形成装置。
【請求項１４】
上記動作制御手順は、上記領域に該領域の情報と無関係な画像を形成して所定動作を制御する動作、上記所定動作を停止する動作のいずれかを上記ユーザーに選択させることを特徴とする画像形成装置。
【請求項１５】
ドキュメントの領域情報毎の上記動作要件を格納する領域情報管理テーブルを有する画像形成装置での処理をコンピュータに行なわせるための画像形成方法であって、
上記ドキュメントの識別情報を読み取る識別情報読取手順と、
上記識別情報によって指定される動作要件を選択すると共に、上記ドキュメントの各領域と対応する動作要件を上記領域情報管理テーブルに格納する動作要件選択手順と、
上記領域情報管理テーブルから上記動作要件を読み出し、該動作要件に従って所定動作の実行を制御する動作制御手順とを有することを特徴とする画像形成方法。
【請求項１６】
ドキュメントの領域情報毎の上記動作要件を格納する領域情報管理テーブルを有する画像形成装置での処理をコンピュータに行なわせるためのプログラムであって、
上記ドキュメントの識別情報を読み取る識別情報読取手順と、
上記識別情報によって指定される動作要件を選択すると共に、上記ドキュメントの各領域と対応する動作要件を上記領域情報管理テーブルに格納する動作要件選択手順と、
上記領域情報管理テーブルから上記動作要件を読み出し、該動作要件に従って所定動作の実行を制御する動作制御手順とを有することを特徴とするプログラム。
【請求項１７】
ドキュメントの領域情報毎の上記動作要件を格納する領域情報管理テーブルを有する画像形成装置での処理をコンピュータに行なわせるためのプログラムを格納した記録媒体であって、
上記ドキュメントの識別情報を読み取る識別情報読取手順と、
上記識別情報によって指定される動作要件を選択すると共に、上記ドキュメントの各領域と対応する動作要件を上記領域情報管理テーブルに格納する動作要件選択手順と、
上記領域情報管理テーブルから上記動作要件を読み出し、該動作要件に従って所定動作の実行を制御する動作制御手順とを有することを特徴とする記録媒体。
【発明の詳細な説明】
【技術分野】
【０００１】
本発明は、情報システムのセキュリティを確保するシステムに関し、特に、セキュリティポリシーに基づいたドキュメントの読み取り及び複写等の動作を制御する画像形成装置に関する。
【背景技術】
【０００２】
近年、オフィスに代表されるようなドキュメントを扱うフィールドでは、そのドキュメントのセキュリティをコントロールしたいという要望が、常に存在する。例えば秘密の文書を複写する際には管理責任者の許可を得なければならない等，特に情報のコンテナであるドキュメントに対するポリシー，中でも機密保持に関するポリシーの制御が重要視されている。一般に、情報システムのセキュリティ確保は機密性、完全性、可用性の確保に大別されるが、完全性や可用性はシステムの管理者が適切に運営、管理すれば実質上問題のないレベルまで確保できることが多い。これに対して、機密性の確保のためには、ユーザ組織に所属するメンバに、ポリシーを共有及び徹底させなければならないためであろうと推測される。
【０００３】
現実に多くの企業では文書管理規定などを設け、セキュリティをコントロールしようとしている。しかし、実際のオフィスシステムにおけるセキュリティの確保については、文書についてのセキュリティではなく、オフィスシステムを構成するさまざまな機器に関して、個別にセキュリティ設定を行う必要がある。
【０００４】
セキュリティポリシーに基づいてアクセス制御を行う方法に関する従来技術としては、種々のものが挙げられる（特許文献１から、特許文献１４）。
【０００５】
例えば、アクセス制御において、条件付のアクセス許可を評価することが記載されている（特許文献１）。
【０００６】
また、例えば、情報セキュリティポリシーに従った企業情報システムのセキュリティ管理、監査の簡単化について記載されている(特許文献２)。
【０００７】
しかし、特に、上述の特許文献１では、データファイルへのアクセス制御システムで、アクセス後のデータの処理、特に読み取りなどには言及されていない。
【０００８】
また、上述の特許文献２では、セキュリティポリシー、システム、制御手段から構成され、それぞれの組み合わせを登録してあるＤＢ（データベース）から制御手段を抽出して、システムをポリシーに合うように制御する手段を有しているがしかし、その状態を監査する手段では、システムに対して登録された制御手段で制御するだけであり、実現の自由度が低い。
【０００９】
また、特許文献７の操作者ＩＤを入力させ、文書からＩＤを取り出し、複写を制御する方法では、複写を拒否する、又は、複写を許可してログを記録するという固定されたルールに基づく制御しか行えない。
【００１０】
特許文献８の画像から機密文書であることを示すマークを取り出してチェックする方法では、得られた情報からどのような動作を行うか否かが決められているため、ルールの柔軟性に欠ける。
【００１１】
特許文献９の印刷情報に含まれる出力制限データに基づいて出力先を制御する方法では、印刷情報にルールを含めなければならない。
【００１２】
特許文献１０の画像を読み取ってパスワードとともに記憶し,出力の際にパスワードが一致したときに許可する方法では、判断する基準がパスワードだけであり、それによって制御される動作も許可、又は、不許可だけである。
【００１３】
特許文献１１のネットワーク上の複数のMFPのうち、一つのMFPがユーザ管理を行ってネットワーク上のMFPすべての操作の許可、不許可を制御する方法では、制御される動作は許可、又は、不許可だけである。
【００１４】
特許文献１２の複数の機器について利用の許可、操作の許可をユーザごとに判断する方法では、許可,不許可だけしか制御できないし、ユーザ情報に基づいた制御しかできない。というように、従来技術の問題点はルールが限定的で柔軟性がなく、またそのルールもあらかじめ決められたものだけであるという欠点がある。すなわち、従来の入出力装置は、「ユーザ」と「ドキュメント」のＩＤに対する、操作の「許可」、「禁止」だけを、「あらかじめ」決められているものばかりである。
【特許文献１】特開２００１−１８４２６４号公報
【特許文献２】特開２００１−２７３３８８号公報
【特許文献３】特開２００１−３３７８６４号公報
【特許文献４】特開平０９−２９３０３６号公報
【特許文献５】特開平０７−１４１２９６号公報
【特許文献６】特許第０２７３５９６６号公報
【特許文献７】特許３２０３１０３号公報
【特許文献８】特開平７−５８９５０号公報
【特許文献９】特開平７−１５２５２０号公報
【特許文献１０】特開平１０−１９１０７２号公報
【特許文献１１】特開２０００−１５８９８号公報
【特許文献１２】特開２０００−３５７０６４号公報
【特許文献１３】特開２００１−１２５７５９号公報
【特許文献１４】特開２００１−３２５２４９号公報
【発明の開示】
【発明が解決しようとする課題】
【００１５】
しかしながら、このようなセキュリティの実施方法では、ドキュメントの印刷に対するセキュリティを実行する場合には、第１に、セキュリティの施行者が、さまざまな機器のセキュリティに関する知識を必要とする。そして、第２には、すべての機器に対してセキュリティが、一つ一つ実行される必要がある。第３には、システムの全体がどのようなセキュリティ状態になっているのかを容易に把握することが必要であるが、把握しにくい。そして、第４に、個々の機器にセキュリティが実施されていても、実際に文書のセキュリティが守られていることが実感できない。このように、実際のオフィスシステムにおけるセキュリティの確保については、以上のような問題点がある。
【００１６】
また、ドキュメントの複数の領域それぞれで取り扱いの要件が異なる場合、例えば、ドキュメントの領域に読み取り許可及び禁止の要件が混在する場合、読み取りドキュメントの各領域の要件に応じた処理を行うことが難しいという問題点もある。
【００１７】
本発明は、上述の問題点を解決することを目的とする。
【００１８】
特に本発明の目的は、ドキュメントの領域毎の要件を管理し、各領域に対する要件に従って読み取ったドキュメントデータに対する動作を制御することができる画像形成装置、その画像形成装置での処理をコンピュータに行わせるための画像形成方法及びプログラム、そのプログラムを記憶したコンピュータが読み取り可能な記録媒体を提供することである。
【課題を解決するための手段】
【００１９】
上記の課題を解決するため、本発明は、請求項１に記載されるように、ドキュメントの識別情報を読み取る識別情報読取手段と、上記識別情報によって指定される動作要件を選択する動作要件選択手段と、上記動作要件選択手段によって選択された１つ以上の動作要件に従って所定動作の実行を制御する動作制御手段とを有する画像形成装置において、上記ドキュメントの領域情報毎の上記動作要件を格納する領域情報管理テーブルを有し、上記動作要件選択手段は、上記ドキュメントの各領域と対応する動作要件を上記領域情報管理テーブルに格納し、上記動作制御手段は、上記領域情報管理テーブルから上記動作要件を読み出し、該動作要件に従って所定動作の実行を制御する構成とされる。
【００２０】
このような画像形成装置において、ドキュメントの各領域に許可及び禁止の要件が混在する場合でも、ドキュメントの領域毎の要件を管理し、各領域に対する要件に従って読み取ったドキュメントデータに対する動作を制御することができる。
【００２１】
また、本発明は、請求項２に記載されるように、上記動作要件は、上記ドキュメントに対するセキュリティに関する要件である構成としてもよい。
【００２２】
このような画像形成装置において、ドキュメントの領域毎のセキュリティに関する動作要件を管理することができる。
【００２３】
また、本発明は、請求項３に記載されるように、上記所定動作は、電子データで画像を形成する構成としてもよい。
【００２４】
このような画像形成装置において、読み取ったドキュメントデータに対して電子データで画像を形成することができる。
【００２５】
また、本発明は、請求項４に記載されるように、上記所定動作は、上記ドキュメントを用紙上に印刷する構成としてもよい。
【００２６】
このような画像形成装置において、読み取ったドキュメントデータに対して用紙上に印刷することができる。
【００２７】
また、本発明は、請求項５に記載されるように、上記識別情報読取手段は、上記識別情報と上記ドキュメントの領域毎のドキュメント属性とを対応付けして管理するドキュメント属性管理テーブルを有し、上記ドキュメントの各領域に対応する識別情報を取得し、上記ドキュメント属性管理テーブルから上記識別情報に対応するドキュメント属性を取得する構成としてもよい。
【００２８】
このような画像形成装置において、ドキュメントの各領域に対応する識別情報を取得し、その識別情報からドキュメント属性管理テーブルを参照して、各領域に対応するドキュメント属性を取得することができる。
【００２９】
また、本発明は、請求項６に記載されるように、上記識別情報読取手段は、上記ドキュメント属性管理テーブルから各ドキュメントの識別情報に対応するドキュメント属性を取得する構成としてもよい。
【００３０】
このような画像形成装置において、ドキュメント毎の識別情報からドキュメント属性管理テーブルを参照してドキュメントの各領域のドキュメント属性を取得することができる。
【００３１】
また、本発明は、請求項７に記載されるように、上記識別情報読取手段は、上記ドキュメントの領域が設定された領域設定テーブルを有し、上記領域設定テーブルからドキュメントの領域に対応する識別情報を取得する構成としてもよい。
【００３２】
このような画像形成装置において、予めドキュメントの領域が設定された領域設定テーブルからドキュメントの領域に対応する識別情報を取得することができる。
【００３３】
また、本発明は、請求項８に記載されるように、上記識別情報読取手段は、上記ドキュメントの背景のドットパターンを識別し、識別した上記ドットパターンと同じドットパターンを有する領域と対応する識別情報を取得する構成としてもよい。
【００３４】
このような画像形成装置において、ドキュメントの背景のドットパターンから各領域と、その領域の識別情報を取得することができる。
【００３５】
また、本発明は、請求項９に記載されるように、上記動作制御手段は、上記ドキュメントにユーザーから要求された動作が許可されていない領域がある場合、或いは選択された要件を満たすことができない領域がある場合、上記領域に該領域の情報と無関係な画像を形成して所定動作を制御する構成としてもよい。
【００３６】
このような画像形成装置において、ドキュメントにユーザーから要求された動作が許可されていない領域がある場合、或いは選択された要件を満たすことができない領域がある場合、領域に該領域の情報と無関係な画像を形成して所定動作を制御することができる。
【００３７】
また、本発明は、請求項１０に記載されるように、上記画像は上記領域に要求された動作が許可されていないこと、或いは選択された要件を満たすことができないことを示す画像である構成としてもよい。
【００３８】
このような画像形成装置において、読み取ったドキュメントデータに、領域に要求された動作が許可されていないこと、或いは選択された要件を満たすことができないことを示す画像を形成して所定動作を制御することができる。
【００３９】
また、本発明は、請求項１１に記載されるように、上記動作制御手順は、上記ドキュメントにユーザーから要求された動作が許可されていない領域がある場合、或いは選択された要件を満たすことができない領域がある場合、上記所定動作を停止する構成としてもよい。
【００４０】
このような画像形成装置において、ドキュメントにユーザーから要求された動作が許可されていない領域がある場合、或いは選択された要件を満たすことができない領域がある場合、所定動作を停止することができる。
【００４１】
また、本発明は、請求項１２に記載されるように、上記ドキュメントにユーザーから要求された動作が許可されていない領域がある旨、或いは選択された要件を満たすことができない領域がある旨、上記領域に該領域の情報と無関係な画像を形成して所定動作を制御する旨、上記所定動作を停止する旨をそれぞれ上記ユーザーに通知する通知手段を有する構成としてもよい。
【００４２】
このような画像形成装置において、ドキュメントにユーザーから要求された動作が許可されていない領域がある旨、或いは選択された要件を満たすことができない領域がある旨、領域に該領域の情報と無関係な画像を形成して所定動作を制御する旨、所定動作を停止する旨をユーザーに通知することができる。
【００４３】
また、本発明は、請求項１３に記載されるように、上記通知手段により通知された情報を上記ユーザが確認したことを示す確認情報を取得する確認情報取得手段を有する構成としてもよい。
【００４４】
このような画像形成装置において、通知手段により通知された情報をユーザが確認したことを示す確認情報を取得することができる。
【００４５】
また、本発明は、請求項１４に記載されるように、上記動作制御手順は、上記領域に該領域の情報と無関係な画像を形成して所定動作を制御する動作、上記所定動作を停止する動作のいずれかを上記ユーザーに選択させる構成としてもよい。
【００４６】
このような画像形成装置において、領域に無関係な画像を形成して所定動作を制御する動作、所定動作を停止する動作のいずれかをユーザーに選択させることができる。
【００４７】
また、上記課題を解決するため、本発明は、上記画像形成装置での処理をコンピュータに行なわせるための画像形成方法及びプログラム、及びそのプログラムを記憶したコンピュータ読み取り可能な記録媒体とすることもできる。
【発明の効果】
【００４８】
本願発明によれば、ドキュメントの領域毎の要件を管理し、ドキュメントの各領域に読み取り許可及び禁止の要件が混在する場合でも、各領域に対する要件に従って読み取ったドキュメントデータに対する動作を制御することができる画像形成装置及びその画像形成装置での処理をコンピュータに行わせるための画像形成方法を提供することができる。
【発明を実施するための最良の形態】
【００４９】
以下、本発明の実施の形態を図面に基づいて説明する。
【００５０】
図１は、本発明の第１実施例に係る画像形成装置のハードウェア構成を示すブロック図である。図１において、本発明の画像形成装置の一例である画像形成装置１００は、コンピュータによって制御される装置であって、ＣＰＵ（中央処理装置）１１と、ＲＯＭ（Read-Only Memory）１２と、ＲＡＭ（Random Access Memory）１３と、不揮発性ＲＡＭ（non-volatile Random Access Memory）１４と、リアルタイムクロック１５、イーサネット（登録商標）Ｉ／Ｆ（Ethernet（登録商標） Interface）２１と、ＵＳＢ（Universal Serial Bus）２２と、ＩＥＥＥ（Institute of Electrical and Electronics Engineers）1284 ２３と、ハードディスクＩ／Ｆ２４と、エンジンＩ／Ｆ２５と、ＲＳ−２３２Ｃ  Ｉ／Ｆ２６と、ドライバ２７とで構成され、システムバスＢに接続される。
【００５１】
ＣＰＵ１１は、ＲＯＭ１２に格納されたプログラムに従って画像形成装置１００を制御する。ＲＡＭ１３には、例えば、各インターフェース２１〜２６に接続される資源に領域が割り当てられる。不揮発性ＲＡＭ１４には、画像形成装置１００を制御するためにＣＰＵ１１による処理で必要な情報が格納される。リアルタイムクロック１５は、現時刻を計ると共に、処理を同期させる場合にＣＰＵ１１によって使用される。
【００５２】
イーサネット（登録商標）Ｉ／Ｆ２１には、１０ＢＡＳＥ−Ｔ又は１００ＢＡＳＥ−ＴＸ等のイーサネット（登録商標）用インターフェースケーブルが接続される。ＵＳＢ２２には、ＵＳＢ用インターフェースケーブルが接続される。ＩＥＥＥ1284 ２３には、ＩＥＥＥ1284用インターフェースケーブルが接続される。
【００５３】
ハードディスクＩ／Ｆ２４には、ハードディスク３４が接続され、ネットワークを介して送信された印刷すべき文書の文書データ、又は、印刷処理後の画像データがハードディスクＩ／Ｆ２４を介してハードディスク３４に格納される。エンジンＩ／Ｆ２５には、文書データに基づいて所定媒体に印刷を行うプロッタ３５−１及び画像データを取り込むスキャナ３５−２等が接続される。ＲＳ−２３２Ｃ  Ｉ／Ｆ２６には、オペレーションパネル３６が接続され、ユーザへのドキュメントの領域毎のセキュリティポリシーに関する情報の表示、及びユーザから入力情報又は設定情報の取得が行われる。
【００５４】
画像形成装置１００によって行われる処理を実現するプログラムは、例えば、ＣＤ−ＲＯＭ等の記録媒体３７によって画像形成装置１００に提供される。即ち、プログラムが保存された記録媒体３７がドライバ２７にセットされると、ドライバ２７が記録媒体３７からプログラムを読み出し、その読み出されたプログラムがシステムバスＢを介してハードディスク３４にインストールされる。そして、プログラムが起動されると、ハードディスク３４にインストールされたプログラムに従ってＣＰＵ１１がその処理を開始する。尚、プログラムを格納する記録媒体３７としてＣＤ−ＲＯＭに限定するものではなく、コンピュータが読み取り可能な記録媒体であればよい。また、プログラムを、ネットワークを介してダウンロードし、ハードディスク３４にインストールするようにしても良い。
【００５５】
本実施例では、上記画像形成装置１００だけでなく、異なるタイプのシステムでドキュメントに対するセキュリティポリシーを共有するために、以下のような仕組みを使用して、セキュリティポリシーを記述する。ここでは、記述したセキュリティポリシーのことをドキュメントセキュリティポリシー（ＤＳＰ）と呼ぶ。
【００５６】
ユーザの属する組織は、例えば、機密文書、丸秘文書、社外秘文書のような、文書の機密レベルごとに、そのドキュメントに対するセキュリティポリシーを掲げることが想定される。このようなセキュリティポリシーをＤＳＰとして記述できるようにするために、以下のような方法を使用する。
【００５７】
まず最初に、ドキュメントを機密レベル（極秘、丸秘、社外秘など）と、カテゴリー（人事文書、技術文書など）に応じて分類する。この、機密レベルとカテゴリーの組みを、ドキュメントのセキュリティラベルと呼ぶ。このセキュリティラベルは、実際には、個々のドキュメントの領域毎に属性情報として付与されるものとする。この属性情報としてドキュメントに付与されるのは、セキュリティラベルのリストを管理するファイル、例えば、ＸＭＬによって記述される。
【００５８】
このようなセキュリティポリシーに従って動作する画像形成装置について図２、図５、図１３、図１５、図１７、図２１を参照して以下に詳細に説明する。
【００５９】
図２は、本発明の第１実施例に係る画像形成装置のシステム構成図である。図２に示す読み取り装置としての画像形成装置１００は、主に、読み取り部７１と、読み取り条件取得部７２と、データ送信先取得部７３と、データ処理部７４と、データ送信部７５と、ドキュメント属性取得部１１１と、動作要件選択部１１２と、動作制御部１１３と、ユーザ属性取得部１２１と、読み取り画像データを格納した読み取り画像データＤＢ（データベース）６１と、蓄積データＤＢ６２と、領域管理テーブルＤＢ６４とを有する。
【００６０】
また、ドキュメント属性取得部１１１は、読み取り対象となるＤＳＰが記述された紙原稿６０の各領域から、又は読み取り画像データＤＢ６１からドキュメントの属性を取得して、動作要件選択部１１２へ通知する。
【００６１】
一方、ユーザ属性取得部１２１は、ユーザによって入力されたユーザ情報を取得すると、動作要件選択部１１２に通知する。動作要件選択部１１２は、紙原稿６０のＤＳＰに従って各領域に対する動作要件を選択し、その結果を領域管理テーブルＤＢ６４に格納する。また、動作要件選択部１１２は、直接、結果を動作制御部１１３に通知するようにしてもよい。動作制御部１１３は、領域管理テーブルＤＢ６４に格納された要件に基づいて、又は、動作要件選択部１１２から通知された要件に基づいて、読み取った紙原稿６０の画像データに対するデータ処理を指示する。
【００６２】
読み取り部７１は、読み取り条件取得部７２から通知されるユーザによって入力された読み取り条件に従って、紙原稿６０を読み取る（スキャン）する処理部であり、読み取った画像データは、読み取り画像データＤＢ６１に格納される。また、画像データＤＢ６１から取得したドキュメント属性をドキュメント属性取得部１１１に通知する。
【００６３】
読み取り条件取得部７２は、ユーザによって入力された読み取り条件を取得し、読み取り部７１とデータ処理部７４とへ通知する。
【００６４】
データ送信先取得部７３は、ユーザによって入力されたデータ送信先を取得し、データ送信部７５に通知する。
【００６５】
データ処理部７４は、動作制御部１１３から提供される要件を満たすように読み取り条件取得部７２から通知されるユーザによって入力された読み取り条件に従ってデータ処理を行い、そのデータ処理された画像データを蓄積データＤＢ６２に蓄積する。
【００６６】
データ送信部７５は、動作制御部１１３から通知される要件を満たすように、蓄積データＤＢ６２から取り出した処理対象となる画像データをデータ送信先取得部７３から通知された送信先へ送信する。
【００６７】
画像データを外部に送信する必要がない場合、データ送信部７５を省略しても良い。また、画像データを記録媒体３７に記憶するようにしても良い。
【００６８】
図２において、読み取り装置としての画像形成装置１００は、専用のハードウェアにより構成するように記載されているが、汎用のコンピュータとそのコンピュータ上で実行されるプログラムにより構成するようにしても良い。
【００６９】
また、以下に説明する本発明の実施例をコンピュータ上で実行するプログラムは、コンピュータにより読み出し可能な記録媒体に記録され、その実行前に、コンピュータにより読み込まれる。また、このようなプログラムは、コンピュータネットワークを介して配信されることも可能である。
【００７０】
このように、本願発明の画像形成装置１００は、ドキュメントの領域とその領域に対する要件を領域管理テーブルＤＢ６４で管理することにより、ドキュメントの各領域に許可及び禁止の要件が混在する場合でも、各領域に対する要件に従って読み取ったドキュメントデータに対する動作を制御することができる。
【００７１】
次に、ドキュメント（紙原稿）の各領域を識別するための識別情報について説明する。図３は、ドキュメントの領域を識別する識別情報を示す図である。図３に示すドキュメント２００には、ドキュメントの内容に対して複数の領域２０１〜２０５が設定され、各領域２０１〜２０５を識別するための識別情報２０６が表示されている。識別情報２０６には、ドキュメント２００の各領域におけるｘ軸方向の始点、ｙ軸方向の始点、及びｘ軸方向の終点、ｙ軸方向の終点と、その領域を示す識別子の配列情報が格納されている（テーブル６４０に示す）。ここでは、識別情報２０６として一次元のバーコードを用いている。尚、ドキュメントへの埋め込み容量の関係で二次元コードを用いることも可能である。
【００７２】
テーブル６４０は、ドキュメント属性取得部１１１により取得した識別情報２０６の詳細を示しており、取得した識別情報２０６毎に動作要件選択部１１２により選択された領域毎のドキュメント属性が格納されている。テーブル６４０には、領域の始点の項目と、領域の終点の項目と、識別情報の項目とで構成されている。
【００７３】
このとき、テーブル６４１に示すように、各領域の位置と識別情報を合わせて１２８ビットを割り当てると、ドキュメント２００の識別は、６４ビット＝１８，４４６，７４４，０７３，７０９，５５１，６１６まで可能である。例えば、日本全国民が１００年程度利用することを想定すれば、１日１人あたり４，０４３，１２１領域を利用することができる。また、それぞれの領域指定情報も１６ビット＝６５，５３６であり、Ａ３の紙原稿長辺（４２０ｍｍ）を４０００ｄｐｉでサンプリングした場合に相当するため、上記割り当ては十分な値であると考えられる。また、１２８ビットの埋め込みは２次元コードなどでは約２，０００バイト可能であることから、複数の領域指定も容易に可能である。
【００７４】
このように、ドキュメント２００に埋め込まれた識別情報２０６を、ドキュメント属性取得部１１１により読み取り、領域管理テーブルＤＢ６４で管理することで、ドキュメント２００の各領域のドキュメント属性を取得し、そのドキュメント属性に従って領域毎に対する動作を制御することができる。
【００７５】
次に、ドキュメント属性取得部１１１によりドキュメントの各領域の属性を管理する場合について説明する。図４は、ドキュメント属性取得部の機能構成を示す図である。図４に示すドキュメント属性取得部１１１は、ドキュメント属性ＤＢ１３０と、ドキュメントに埋め込まれた識別情報を取得する識別情報取得手段１３１と、ドキュメント属性読み取り手段１３２とを有する。識別情報取得手段１３１は、ドキュメント２００に埋め込まれた識別情報２０６を取得する。ドキュメント属性読み取り手段１３２は、取得した識別情報２０６に基づいて、ドキュメント属性ＤＢ１３０からドキュメントの各領域に対応するドキュメント属性を読み取る。ドキュメント属性ＤＢ１３０に格納されるテーブル１３１は、ドキュメントを識別するためのドキュメントＩＤ（識別情報）の項目と、領域の始点の項目と、領域の終点の項目と、カテゴリの項目と、レベルの項目と、取り扱い可能ゾーンを示す項目等で構成される。
【００７６】
このように、ドキュメントの属性の一部として領域の始点、終点と、領域に対する属性をドキュメント属性ＤＢ１３０に格納することにより、読み取ったドキュメントの識別情報から各領域に対応するドキュメント属性を取得することができる。
【００７７】
次に、予めドキュメントの領域の設定された領域設定テーブルＤＢ６３を設けた第２実施例について説明する。図５は、本発明の第２実施例に係る画像形成装置のシステム構成図である。尚、図５に示す第２実施例の画像形成装置１０１において、図２に示す第１実施例の画像形成装置１００と同様の構成については同符号を付して説明を省略する。図５において、画像形成装置１０１は、ドキュメントの複数の領域を予め割り当てられた情報を格納した領域設定テーブルＤＢ６３と、ユーザーにより設定入力された領域を取得して領域設定テーブルＤＢ６３に格納する領域設定取得部８５とを有する。
【００７８】
この領域設定テーブルＤＢ６３に領域のｘ軸方向、ｙ軸方向のそれぞれの始点及び終点を設定しておくことにより、各領域内に識別子（図では一次元バーコード）を印字して読み取り、読み取った領域毎の識別情報に対応するドキュメント属性を取得し、そのドキュメント属性に従った動作を制御することができる。
【００７９】
次に、ドキュメントの各領域に埋め込まれた識別情報の読み取りについて説明する。図６は、ドキュメントの領域を識別する識別情報を示す図である。図６に示すドキュメント２２０には、ドキュメントの内容に対して複数の領域２２１〜２２５が設定され、各領域２２１〜２２５のそれぞれを識別するための識別情報２２６〜２３０が表示されている。識別情報２２６〜２３０には、ドキュメント２２０の各領域２２１〜２２５のそれぞれのｘ軸方向の始点、ｙ軸方向の始点、及びｘ軸方向の終点、ｙ軸方向の終点が格納されている（テーブル６３０に示す）。領域設定テーブルＤＢ６３に格納されたテーブル６３０には、予め設定された領域の始点、領域の終点が設定されている。
【００８０】
ドキュメント属性取得部１１１は、ドキュメント２２０から、各領域の識別情報２２６〜２３０を読み取り、領域設定テーブルＤＢ６３を参照する。動作要件選択部１１２は、設定された領域に対応するドキュメント属性を取得することができる。従って、動作制御部１１３によりドキュメント２２０の各領域のドキュメント属性に従って、動作が制御される。
【００８１】
次に、ドキュメントの各領域に埋め込まれた識別情報の変形例について説明する。図７は、ドキュメントの領域を識別する識別情報の変形例を示す図である。図７に示すドキュメント２３０の各領域２３１〜２３５には、識別情報としてそれぞれ異なる種類（ドットの模様（形態）や濃さなど）のドットパターンが表示される。また、同様のドットパターンで表示させる複数の領域がある場合、そのドットパターンが示す識別情報の対応する領域として領域と識別情報を取得するようにしてもよい。
【００８２】
このように、ドキュメントの各領域の識別情報をドットパターンで表示させることにより、ドキュメントに埋め込む識別情報の汎用性を向上させることができる。
【００８３】
次に、画像形成装置１０１の領域管理テーブルＤＢ６４に格納されるテーブルについて説明する。図８は、領域管理テーブルＤＢに格納されるテーブルを示す図である。図８に示すテーブル６４２には、画像形成装置１０１の動作要件選択部１１２により領域毎のドキュメント属性（動作要件、以下要件と呼ぶ）が格納されている。テーブル６４２は、読み取りの対象となるドキュメントの領域の始点を示す項目と、領域の終点を示す項目と、各領域に対する処理の可否（許可、禁止）を示す項目と、その領域に対する複数の要件（要件１、要件２、要件３など）を示す項目とで構成されている。例えば、テーブル６４２のレコード６４３には、領域の始点（１０、３６０）、領域の終点（２４９、７９９）の領域に対して印刷処理が「許可」されていることを示し、要件１「スタンプ表示」、要件２「信頼できる通信路の利用」の情報が格納されている。
【００８４】
尚、テーブル６４２に格納される要件は、画像形成装置１０１における各種ドキュメントのデータ処理及びそのデータ処理に関する情報のみを格納すればよい。従って、多くの記録領域を必要とすることなく、必要最小限のデータ処理に関する情報を管理してドキュメントの領域に対する動作を行うことができる。
【００８５】
次に、画像形成装置１０１による読み取り処理の際に、読み取り禁止の要件を有する領域に他の画像を作成する処理について説明する。図９は、ドキュメントの領域に読み取り禁止の要件を有する場合のデータ処理について説明するための図である。図９において、画像形成装置１０１は、読み取りの対象となるドキュメント２３８の各領域のデータを読み取る（ステップＳ１）。画像形成装置１０１のドキュメント属性取得部１１１は、ドキュメント２３８の各領域の要件を読み取り、動作要件選択部１１２に通知する。動作要件選択部１１２は、通知された領域と、その領域に対する要件を領域管理テーブルＤＢ６４に格納する。
【００８６】
また、動作処理部１１３は、読み取り部７１によりドキュメント２３８のデータを読み取った後、領域管理テーブルＤＢ６４から各領域に対する要件を読み出し、動作を制御する。例えば、ドキュメント２３８の領域２３９に対して、読み込みを禁止する要件「禁止（スキャン禁止）」が規定されているため、ドキュメント２３８を読み取ったデータから領域２３９のデータを削除し、又は領域２４１に示すように、元のデータと無関係なグレーの画像を形成したドキュメントデータ２３８を蓄積データＤＢ６２へ格納する。
【００８７】
このように、領域管理テーブルＤＢ６４に格納された要件から、ドキュメント２３８内の所定の領域に禁止要件がある場合、その領域のデータのみを削除、又はその他の画像を形成したドキュメントデータの動作を制御することができる。
【００８８】
次に、画像形成装置１０１による読み取り処理の際に、所定の領域が読み取り禁止であることを示すための処理について説明する。図１０は、ドキュメントの領域に読み取り禁止の要件を有する場合のデータ処理について説明するための図である。図１０において、画像形成装置１０１は、読み取りの対象となるドキュメント２３８の各領域のデータを読み取る（ステップＳ１）。画像形成装置１０１のドキュメント属性取得部１１１は、ドキュメント２３８の各領域の要件を読み取り、動作要件選択部１１２に通知する。動作要件選択部１１２は、通知された領域と、その領域に対する要件を領域管理テーブルＤＢ６４に格納する。
【００８９】
また、動作処理部１１３は、読み取り部７１によりドキュメント２３８のデータを読み取った後、領域管理テーブルＤＢ６４から各領域に対する要件を読み出し、動作を制御する。例えば、ドキュメント２３８の領域２３９に対して、読み込みを禁止する要件「禁止（スキャン禁止）」が規定されているため、読み取ったドキュメント２３８のデータから領域２３９のデータを削除し、領域２４３に示すように、所定の領域が読み取り禁止であることを示す情報を形成したドキュメントデータ２４２を蓄積データＤＢ６２へ格納する。
【００９０】
このように、領域管理テーブルＤＢ６４に格納された要件から、所定の領域に禁止要件がある場合、その領域のデータのみを削除し、該当領域の部分に読み取り禁止であることを示して、読み取ったドキュメントデータの動作を制御することができる。
【００９１】
次に、画像形成装置１０１による読み取り処理の際に、動作要件選択部１１２により選択された動作要件を満たすことができない場合の処理について説明する。図１１は、ドキュメントの領域に信頼できる通信路を利用するという要件を有する場合のデータ処理について説明するための図である。図１１において、画像形成装置１０１は、蓄積データＤＢ６２に格納されたドキュメントデータ２４５を読み出す。更に、動作制御部１１３は、領域管理テーブルＤＢ６４に格納された領域毎の要件を読み出し、その要件に従った動作を制御する情報をデータ送信部７５へ通知する。
【００９２】
例えば、このドキュメントデータ２４５には、要件が「禁止」である領域２４７のデータが削除され、その他の画像が形成された状態で格納されており、また、領域２４６の要件に「信頼（信頼できる通信路を利用する）」が規定されている。信頼できる通信路を確保できない場合、即ち、選択された動作要件を満たすことができない場合、データ送信部７５は、領域２４６のデータを削除し、又は領域２５０に示すように元のデータと無関係なグレーの画像を形成したドキュメントデータ２４９をその他の画像形成装置へ送信する（ステップＳ３）。
【００９３】
このように、領域管理テーブルＤＢ６３に格納された要件から、所定の領域に規定された要件を満たすことができない場合、その領域のデータを削除し、又は他の画像を形成したドキュメントデータを他の画像形成装置に送信することができ、情報漏洩を防ぐことができる。
【００９４】
次に、画像形成装置１０１による読み取り処理の際に、動作要件選択部１１２により選択された動作要件を満たすことができない場合の処理について説明する。図１２は、ドキュメントの領域に信頼できる通信路を利用するという要件を有する場合のデータ処理について説明するための図である。図１２において、画像形成装置１０１は、蓄積データＤＢ６２に格納されたドキュメントデータ６０２を読み出す。更に、動作制御部１１３は、領域管理テーブルＤＢ６４に格納された領域毎の要件を読み出し、その要件に従った動作を制御する情報をデータ送信部７５へ通知する。
【００９５】
例えば、このドキュメントデータ２４５には、要件が「禁止」である領域２４７のデータが削除され、その他の画像が形成された状態で格納されており、また、領域２４６の要件に「信頼（信頼できる通信路を利用する）」が規定されている。信頼できる通信路を確保できない場合、即ち、選択された動作要件を満たすことができない場合、データ送信部７５は、領域２４６のデータを消去して、代りに該当領域のデータが送信不可能であったことを示す情報を形成したドキュメントデータ２５２をその他の画像形成装置へ送信する（ステップＳ３）。例えば、領域２５１に示すように「信頼できる通信路が使用できないため送信できませんでした」を示す情報を、ドキュメントデータ２５２に書き込んで送信する。
【００９６】
このように、領域管理テーブルＤＢ６４に格納された要件から、所定の領域に規定された要件を満たすことができない場合、その領域のデータが送信不可能であったことを示す情報を書き込んで他の画像形成装置に送信することができ、情報漏洩を防ぐことができる。
【００９７】
以上のように画像形成装置１０１でドキュメントを読み取る際に、処理が禁止されたり、要件を満たすことができずに処理された場合は、ユーザーにその内容を通知することも可能である。この場合、ユーザーに通知するための動作情報通知部を備える必要があり、この動作情報通知部を設けた本発明の第３実施例について以下に説明する。
【００９８】
図１３は、本発明の第３実施例に係る画像形成装置のシステム構成図である。尚、図１３に示す第３実施例の画像形成装置１１０において、図２に示す第１実施例の画像形成装置１００と同様の構成については同符号を付して説明を省略し、画像形成装置１１０が動作情報通知部７６を備えた点で画像形成装置１００と相異するため、以下に相違点を説明する。図１３において、動作情報通知部７６は、動作制御部１１３による処理結果を示す情報を生成し、ユーザーへ通知を行う。
【００９９】
例えば、処理結果を通知する方法として、画像形成装置１１０のオペレーションパネル３６に「読み取りの禁止されている領域が含まれています」などの表示を行うものとする。
【０１００】
次に、画像形成装置１１０のオペレーションパネル３６への表示例を説明する。図１４は、ユーザーに処理結果を通知するための表示例を示す図である。図１４において、画像形成装置１１０のオペレーションパネル３６に表示され、ユーザーへ処理結果、例えば、所定の領域の要件と、その要件に対するドキュメントデータの処理を通知するための表示例を示している。図１４（Ａ）の表示域７６０には、「読み取りの禁止されている領域が含まれています  処理を取り止めました」というメッセージを表示している。図１４（Ｂ）の表示域７６１には、「読み取りの禁止されている領域が含まれています  該当領域を空白にして読み取りを行いました」というメッセージを表示している。
【０１０１】
このように、画像形成装置１１０でのドキュメントの各領域の要件に従って処理された結果、例えば、ドキュメントの要件と、その要件に対応する処理をユーザーに通知することができる。
【０１０２】
また、画像形成装置１１０で自動的に読み取りを行ったり、ドキュメントに対する動作を制御したり、停止したりしてもよいが、第３実施例における画像形成装置１１０の動作情報通知部７６に加えて、ユーザーから確認情報を取得することも可能である。この場合、ユーザーから確認情報を取得するための確認情報取得部を備える必要があり、この確認情報取得部を設けた本発明の第４実施例について以下に説明する。
【０１０３】
図１５は、本発明の第４実施例に係る画像形成装置のシステム構成図である。尚、図１５に示す第４実施例の画像形成装置１２０において、図１３に示す第３実施例の画像形成装置１１０と同様の構成については同符号を付して説明を省略し、画像形成装置１１０が確認情報取得部７７を備えた点で画像形成装置１０１と相異するため、以下に相違点を説明する。図１５において、確認情報取得部７７は、動作情報通知部７６による通知と共に、ユーザーにより所定の処理が確認、入力された確認情報を取得する。
【０１０４】
例えば、確認情報を入力する方法として、画像形成装置１２０のオペレーションパネル３６に動作情報通知部７６による通知に加え、複数の確認情報の入力域を表示させ、これらの入力域から所定の動作をユーザーに選択させるものとする。
【０１０５】
次に、画像形成装置１２０のオペレーションパネル３６への表示例を説明する。図１６は、ユーザーに動作確認を促すための表示例を示す図である。図１６において、画像形成装置１２０のオペレーションパネル３６に、例えば、所定の領域の要件と、その要件に対するドキュメントデータの処理を確認、選択するため入力域とを表示した表示例を示している。図１６（Ａ）には表示域７６２と、入力域７６６、７６７とが表示されている。表示域７６２には、「読み取りの禁止されている領域が含まれています」というメッセージが表示され、入力域７６６には、「該当領域を空白にして読み取りを行う」という動作が表示され、入力域７６７には、「読み取りをやめる」という動作が表示されている。図１６（Ｂ）には表示域７６３と、入力域７６８、７６９とが表示されている。表示域７６３には、「信頼できる通信路が使用できないため送信できない領域が含まれています」というメッセージが表示され、入力域７６８には、「該当領域を空白にして送信を行なう」という動作が表示され、入力域７６９には、「送信をやめる」という動作が表示されている。
【０１０６】
このように、画像形成装置１２０のオペレーションパネル３６に、ドキュメントの領域毎の要件をユーザーに通知すると共に、ドキュメントの各領域の要件に対する複数の動作を示す入力域を表示させることにより、ユーザーに動作の確認及び選択を促すことができる。
【０１０７】
また、本発明の領域管理テーブルＤＢ６４を有し、ドキュメントの領域毎の要件に従って処理を行う複写装置としての画像形成装置を以下に説明する。
【０１０８】
図１７は、ドキュメントの領域毎の要件に従って処理を行う複写装置としての画像形成装置のシステム構成図である。尚、図１７に示す画像形成装置１４０において、図２に示す第１実施例の画像形成装置１００と同様の構成については同符号を付して説明を省略する。図１７において、複写装置としての画像形成装置１４０は、画像形成装置１００の読み取り条件取得部７２とデータ送信先取得部７３の代わりに複写条件取得部８１と、画像形成装置１００のデータ送信部７５の代わりに印刷部８２とを有する点で相違する。
【０１０９】
ドキュメント属性取得部１１１は、読み取り対象となるＤＳＰが記述された紙原稿６０の各領域から、又は読み取り画像データＤＢ６１からドキュメントの属性を取得して、動作要件選択部１１２へ通知する。
【０１１０】
ユーザ属性取得部１２１は、ユーザによって入力されたユーザ情報を取得すると、動作要件選択部１１２に通知する。動作要件選択部１１２は、紙原稿６０のＤＳＰに従って各領域に対する許可される場合の動作要件を選択し、その結果を領域管理テーブルＤＢ６４に格納する。また、動作要件選択部１１２は、直接、結果を動作制御部１１３に通知するようにしてもよい。動作制御部１１３は、領域管理テーブルＤＢ６４に格納された要件に基づいて、又は、動作要件選択部１１２から通知された要件に基づいて、読み取り部７１により読み取った紙原稿６０の画像データに対するデータ処理を指示する。
【０１１１】
複写条件取得部８１は、ユーザーがオペレーションパネル３６に入力した複写条件を取得して、読み取り部７１とデータ処理部７４へ複写条件を通知すると共に、印刷部８２へも通知する。
【０１１２】
印刷部８２は、動作制御部１１３からの指示に応じて蓄積データＤＢ６２から紙原稿６０の画像データを取得し、動作制御部１１３から通知された要件を満たすように複写条件取得部８１から通知された複写条件に従って印刷処理を行い、用紙に画像データが形成された複写原稿（紙出力）６５を出力する。
【０１１３】
このように、画像形成装置１４０は、領域管理テーブルＤＢ６４で管理したドキュメントの領域毎の要件及び複写条件とにより、各領域に対する要件に従って読み取ったドキュメントのデータに対する印刷処理を制御することができる。
【０１１４】
次に、画像形成装置１４０の領域管理テーブルＤＢ６４に格納されるテーブルについて説明する。図１８は、領域管理テーブルＤＢに格納されるテーブルを示す図である。図１８に示すテーブル６４４には、複写装置としての画像形成装置１４０における動作要件選択部１１２からの領域毎の要件が格納されている。テーブル６４４は、読み取りの対象となるドキュメントの領域の始点を示す項目と、領域の終点を示す項目と、各領域に対する処理の可否（許可、禁止）を示す項目と、その領域に対する複数の要件（要件１、要件２、要件３など）を示す項目とで構成されている。例えば、テーブル６４４のレコード６４５には、領域の始点（１０、３６０）、領域の終点（２４９、７９９）の領域に対して印刷処理が「許可」されていることを示し、要件１「スタンプ表示」の情報が格納されている。
【０１１５】
尚、テーブル６４４に格納される要件は、複写装置としての画像形成装置１４０における各種ドキュメントのデータ処理及びそのデータ処理に関する情報のみを格納すればよい。従って、多くの記録領域を必要とすることなく、必要最小限のデータ処理に関する情報を管理してドキュメントに対する動作を行うことができる。
【０１１６】
次に、画像形成装置１４０による印刷処理の際に、複写禁止の要件を有する領域のデータに対する処理について説明する。図１９は、複写禁止の要件を有するドキュメントデータの読み込み、印刷処理について説明するための図である。図１９において、画像形成装置１４０は、読み取りの対象となるドキュメント２５０の各領域のデータを読み取る（ステップＳ１）。画像形成装置１０１のドキュメント属性取得部１１１は、ドキュメント２５０の各領域の要件を読み取り、動作要件選択部１１２に通知する。動作要件選択部１１２は、通知された領域と、その領域に対する要件を領域管理テーブルＤＢ６４に格納する。
【０１１７】
また、動作処理部１１３は、読み取り部７１によりドキュメント２５０のデータを読み取った後、領域管理テーブルＤＢ６４から各領域に対する要件を読み出し、その要件に従って、読み取り部７１により読み取ったドキュメントデータ２５２のデータに対する印刷部８２による印刷を制御する（ステップＳ２）。例えば、蓄積データＤＢ６２には、ドキュメント２５０の領域２５１に対して、読み込みを禁止する要件「禁止（スキャン禁止）」が規定されているため、読み取ったドキュメント２５０のデータから領域２５１のデータを削除し、領域２５３に示すように、元のデータと無関係なグレーの画像を形成したドキュメントデータ２５２が格納される。
【０１１８】
このように、領域管理テーブルＤＢ６４に格納された要件から、所定の領域に禁止要件がある場合、その領域のデータのみを削除、又はその他の画像を形成したドキュメントデータの印刷を行なうことができる。
【０１１９】
次に、画像形成装置１４０による印刷処理の際に、所定の領域が複写禁止であることを示すための処理について説明する。図２０は、複写禁止の要件を有するドキュメントデータの読み込み、印刷処理について説明するための図である。図２０において、画像形成装置１４０は、読み取りの対象となるドキュメント２５０の各領域のデータを読み取る（ステップＳ１）。画像形成装置１０１のドキュメント属性取得部１１１は、ドキュメント２５０の各領域の要件を読み取り、動作要件選択部１１２に通知する。動作要件選択部１１２は、通知された領域と、その領域に対する要件を領域管理テーブルＤＢ６４に格納する。
【０１２０】
また、動作処理部１１３は、読み取り部７１によりドキュメント２５０のデータを読み取った後、領域管理テーブルＤＢ６４から各領域に対する要件を読み出し、その要件に従って、読み取り部７１により読み取ったドキュメントデータ２５２のデータに対する印刷部８２による印刷を制御する（ステップＳ２）。例えば、蓄積データＤＢ６２には、ドキュメント２５０の領域２５１に対して、読み込みを禁止する要件「禁止（スキャン禁止）」が規定されているため、読み取ったドキュメント２５０のデータから領域２５１のデータを消去して、代りに領域２５６に示すように「複写禁止」であることを示す情報を形成したドキュメントデータ２５２が格納される。
【０１２１】
このように、領域管理テーブルＤＢ６４に格納された要件から、所定の領域に複写禁止要件がある場合、その領域のデータのみを削除し、該当領域の部分に複写禁止を示す情報を形成したドキュメントデータを印刷することができる。
【０１２２】
また、複写装置としての画像形成装置１４０では、ユーザーが望む処理がその都度異なる場合が多く、複写を行うドキュメントのセキュリティに関する情報や、そのドキュメントに対する処理内容をユーザーに通知し、ユーザーからの確認情報を取得する必要がある。そのため、図１７に示す画像形成装置１４０に、ユーザーに通知するための動作情報通知部と、ユーザーから確認情報を取得するための確認情報取得部を備える必要があり、これらの処理部を設けた場合の変形例について以下に説明する。
【０１２３】
図２１は、ドキュメントの各領域の要件に従って処理を行う複写装置としての画像形成装置の変形例を示すシステム構成図である。尚、図２１に示す複写装置としての画像形成装置１４１において、図１７に示す画像形成装置１４０と同様の構成については同符号を付して説明を省略し、画像形成装置１４１が動作情報通知部７６と、確認情報取得部７７とを備えた点で画像形成装置１４０と相異するため、以下に相違点を説明する。図２１において、動作情報通知部７６は、動作制御部１１３による処理結果を示す情報を生成し、ユーザーへ通知を行う。確認情報取得部７７は、動作情報通知部７６により通知された処理結果を確認したユーザーから入力された確認情報を取得する。
【０１２４】
例えば、処理結果を通知する方法、確認情報を入力する方法として、画像形成装置１４１のオペレーションパネル３６に処理結果、確認情報を表示するものとする。このオペレーションパネル３６には、処理結果として「複写禁止の領域が含まれています」などの通知が行われ、また、確認情報として「該当領域をスキップして複写する」、「複写を取り止める」などの入力域が表示される。ユーザーは、入力域に表示された複数の確認情報から所定の確認情報の選択入力を行う。
【０１２５】
このように、複写装置としての画像形成装置１４１において、ドキュメントの領域毎の要件をユーザーに通知して確認を促すと共に、ドキュメントの各領域の要件に従った複数の動作から、ユーザーに所定の動作を選択させることができる。
【０１２６】
従って、本発明の画像形成装置において、ドキュメントの各領域に許可及び禁止の要件が混在する場合でも、ドキュメントの領域毎の要件を管理し、各領域に対する要件に従って読み取ったドキュメントデータに対する動作を制御することができる。
【０１２７】
尚、ドキュメントの各領域の許可及び禁止要件を一意に識別する埋め込み情報として、一次元バーコード、二次元コード、ドットパターンだけでなく、透かし情報、地紋情報のうち少なくとも一つの情報を用いるようにしてもよい。また、本発明の画像形成装置１００、１０１、１１０、１２０、１３０、１３１は、プリンタ、ＦＡＸ、コピー当の複数の異なる画像形成機能の少なくとも一つを有する装置である。
【図面の簡単な説明】
【０１２８】
【図１】本発明の第１実施例に係る画像形成装置のハードウェア構成を示すブロック図である。
【図２】本発明の第１実施例に係る画像形成装置のシステム構成図である。
【図３】ドキュメントの領域を識別する識別情報を示す図である。
【図４】ドキュメント属性取得部の機能構成を示す図である。
【図５】本発明の第２実施例に係る画像形成装置のシステム構成図である。
【図６】ドキュメントの領域を識別する識別情報を示す図である。
【図７】ドキュメントの領域を識別する識別情報の変形例を示す図である。
【図８】領域管理テーブルＤＢに格納されるテーブルを示す図である。
【図９】ドキュメントの領域に読み取り禁止の要件を有する場合のデータ処理について説明するための図である。
【図１０】ドキュメントの領域に読み取り禁止の要件を有する場合のデータ処理について説明するための図である。
【図１１】ドキュメントの領域に信頼できる通信路を利用するという要件を有する場合のデータ処理について説明するための図である。
【図１２】ドキュメントの領域に信頼できる通信路を利用するという要件を有する場合のデータ処理について説明するための図である。
【図１３】本発明の第３実施例に係る画像形成装置のシステム構成図である。
【図１４】ユーザーに処理結果を通知するための表示例を示す図である。
【図１５】本発明の第４実施例に係る画像形成装置のシステム構成図である。
【図１６】ユーザーに処理結果を通知するための表示例を示す図である。
【図１７】ドキュメントの各領域の要件に従って処理を行う複写装置としての画像形成装置のシステム構成図である。
【図１８】領域管理テーブルＤＢに格納されるテーブルを示す図である。
【図１９】複写禁止の要件を有するドキュメントデータの読み込み、印刷処理について説明するための図である。
【図２０】複写禁止の要件を有するドキュメントデータの読み込み、印刷処理について説明するための図である。
【図２１】ドキュメントの各領域の要件に従って処理を行う複写装置としての画像形成装置の変形例を示すシステム構成図である。
【符号の説明】
【０１２９】
１１          ＣＰＵ
１２          ＲＯＭ
１３          ＲＡＭ
１４          不揮発性ＲＡＭ
１５          リアルタイムクロック
２１          イーサネット（登録商標）Ｉ／Ｆ
２２          ＵＳＢ
２３          ＩＥＥＥ1284
２４          ハードディスクＩ／Ｆ
２５          エンジンＩ／Ｆ
２６          ＲＳ−２３２Ｃ  Ｉ／Ｆ
２７          ドライバ
３７          記録媒体
６０          紙原稿
６１          画像データＤＢ
６２          蓄積データＤＢ
６３          領域設定テーブルＤＢ
６４          領域管理テーブルＤＢ
６５          紙出力
７１          読み取り部
７２          読み取り条件取得部
７３          データ送信先取得部
７４          データ処理部
７５          データ送信部
７６          動作情報通知部
８１          複写条件取得部
８２          印刷部
８５          領域設定取得部
１００、１０１、１１０、１２０、１４０、１４１    画像形成装置
１１１        ドキュメント属性取得部
１１２        動作要件選択部
１１３        動作制御部
１２１        ユーザ属性取得部
１３０        ドキュメント属性ＤＢ
１３１        識別情報取得手段
１３２        ドキュメント属性読み取り手段
Ｂ            システムバス
【図１】
2005148393.tif 000003
【図２】
2005148393.tif 000004
【図３】
2005148393.tif 000005
【図４】
2005148393.tif 000006
【図５】
2005148393.tif 000007
【図６】
2005148393.tif 000008
【図７】
2005148393.tif 000009
【図８】
2005148393.tif 000010
【図９】
2005148393.tif 000011
【図１０】
2005148393.tif 000012
【図１１】
2005148393.tif 000013
【図１２】
2005148393.tif 000014
【図１３】
2005148393.tif 000015
【図１４】
2005148393.tif 000016
【図１５】
2005148393.tif 000017
【図１６】
2005148393.tif 000018
【図１７】
2005148393.tif 000019
【図１８】
2005148393.tif 000020
【図１９】
2005148393.tif 000021
【図２０】
2005148393.tif 000022
【図２１】
2005148393.tif 000023